(57)【要約】      （修正有）【課題】暗い環境下で発光手段を用いて被写体を撮影、観察を行なう際、十分な視認性を確保しつつ、発光手段の省電力化を可能とした撮像装置を提供する。【解決手段】被写体を撮像する撮像センサ１０３と、発光ダイオードにより構成されるストロボ１１２と、被写体像を観察可能な光学ファインダ１０９と、撮像センサにより撮像された撮影画像及び撮影情報を表示可能なディスプレイ１１１と、被写体の観察手段を光学ファインダ又は表示手段に切替える第１の観察手段切換え部を有する。第１の観察手段切換え部により表示手段が選択された場合、発光手段を第２の光量で発光し、光学ファインダが選択された場合、第４の光量で発光し、第４の光量は第２の光量よりも大きいことを特徴とする。【選択図】図１
2020036250.tif 000002
【特許請求の範囲】
【請求項１】
被写体を撮像する撮像センサと、
発光ダイオードにより構成される発光手段と、
被写体像を観察可能な光学ファインダと、
前記撮像センサにより撮像された撮影画像及び撮影情報を表示可能な表示手段と、
被写体の観察手段を前記光学ファインダ又は前記表示手段に切替える第１の観察手段切換え部を有する撮像装置において、
前記第１の観察手段切換え部により、前記表示手段が選択された場合、前記発光手段を第２の光量で発光し、
前記第１の観察手段切換え部により、前記光学ファインダが選択された場合、前記発光手段を第４の光量で発光し、
前記第４の光量は前記第２の光量よりも大きいことを特徴とする撮像装置。
【請求項２】
被写体を撮像する前記撮像センサと、
発光ダイオードにより構成される前記発光手段と、
前記撮像センサによって撮像された撮影画像及び撮影情報を表示可能な前記表示手段と、
前記表示手段とは異なる、前記撮像センサにより撮像された撮影画像及び撮影情報を表示可能な表示手段を用いた電子ビューファインダと、
被写体の観察手段を前記表示手段又は前記電子ビューファインダに切替える第２の観察手段切換え部を有する撮像装置において、
前記第２の観察手段切換え部により、前記表示手段が選択された場合、前記発光手段を前記第２の光量で発光し、
前記第２の観察手段切換え部により、前記電子ビューファインダが選択された場合、前記発光手段を第５の光量で発光し、
前記第５の光量は前記第２の光量よりを小さいことを特徴とする撮像装置。
【請求項３】
前記撮像センサと前記光学ファインダへの光路を切り替えるミラーユニットと、
撮影者が前記光学ファインダを覗いているか否か検知する光学ファインダ検知部を有し、
前記第１の観察手段切換え部により、前記光学ファインダが選択されており、尚且つ前記ミラーユニットが、被写界からの光を前記光学ファインダに導く第１のモードの状態において、
前記光学ファインダ検知部により、撮影者が前記光学ファインダを覗いていないと判断した場合は、前記発光手段を前記第２の光量で発光し、
前記光学ファインダ検知部により、撮影者が前記光学ファインダを覗いていると判断した場合は、前記発光手段を前記第４の光量で発光することを特徴とする請求項１に記載の撮像装置。
【請求項４】
前記第１の観察手段切換え部により、前記光学ファインダが選択されており、尚且つ前記ミラーユニットが、被写界からの光を前記光学ファインダに導く前記第１のモードの状態且つ、
前記光学ファインダ検知部により、撮影者が前記光学ファインダを覗いていると判断した場合は、
前記撮像センサによる撮影時を除く、前記ミラーユニットが被写界からの光を前記撮像センサに導く第２のモードの状態、又は前記ミラーユニットが駆動中の場合よりも、前記発光手段の発光量が大きいことを特徴とする請求項１又は請求項３に記載の撮像装置。
【請求項５】
前記第１の観察手段切換え部により、前記光学ファインダが選択されており、尚且つ前記ミラーユニットが、被写界からの光を前記光学ファインダに導く前記第１のモードの状態且つ、
前記ファインダ検知部により、撮影者が前記光学ファインダを覗いていないと判断した場合は、
前記発光手段を消灯することを特徴とする請求項１又は請求項４に記載の撮像装置。
【請求項６】
撮影者が前記電子ビューファインダを覗いているか否か検知する電子ビューファインダ検知部を有し、
前記第２の観察手段切換え部により、前記電子ビューファインダが選択されている状態において、
前記電子ビューファインダ検知部により、撮影者が前記電子ビューファインダを覗いていないと判断した場合は、前記発光手段を前記第２の光量で発光し、
前記電子ビューファインダ検知部により、撮影者が前記電子ビューファインダを覗いていると判断した場合は、前記発光手段を前記第５の光量で発光することを特徴とする請求項２に記載の撮像装置。
【発明の詳細な説明】
【技術分野】
【０００１】
本発明は、撮像装置に関し、特にストロボ装置等の発光手段に関する。
【背景技術】
【０００２】
夜間など暗い環境下では、特に被写体を追従しながら連続撮影を行なう際、撮影者は被写体を視認しにくくなってしまう。そのような状況下において、被写体の視認性向上のため、発光効率が高く、長時間発光可能とする発光ダイオードを光源とする撮像装置の発光手段が提案されている。連続撮影時のように、発光手段を長時間発光させる場合には、撮影に支障をきたさないように、発光手段の消費電力を抑えることが望ましい。例えば、特許文献１では、消費電力を抑えるために撮影前の被写体観察時と撮影時で光量を変えることが開示されている。
【先行技術文献】
【特許文献】
【０００３】
【特許文献１】特開２００５−１２８１４５号公報
【発明の概要】
【発明が解決しようとする課題】
【０００４】
しかしながら、上述の特許文献に開示された従来技術では、被写体の観察手段、カメラの動作状態によっては、発光手段の光量が適切にならず、視認性の確保、発光手段の省電力化ができない場合がある。
【０００５】
そこで、本発明の目的は、暗い環境下で発光手段を用いて被写体を観察する際、十分な視認性を確保しつつ、発光手段の省電力化を行なうことを可能とした撮像装置の発光手段を提供することにある。
【課題を解決するための手段】
【０００６】
上記の目的を達成するために、本発明に係る撮像装置は、
被写体を撮像する撮像センサと、発光ダイオードにより構成される発光手段と、被写体像を観察可能な光学ファインダと、前記撮像センサにより撮像された撮影画像及び撮影情報を表示可能な表示手段と、被写体の観察手段を前記光学ファインダ又は前記表示手段に切替える第１の観察手段切換え部を有する撮像装置において、前記第１の観察手段切換え部により前記表示手段が選択された場合、前記発光手段を第２の光量で発光し、前記光学ファインダが選択された場合、第４の光量で発光し、前記第４の光量は前記第２の光量よりも大きいことを特徴とする。
【発明の効果】
【０００７】
本発明に係る撮像装置によれば、暗い環境下で発光手段を用いて被写体観察をする際、観察手段、カメラ状態により光量を変えることで、適切な視認性の確保と省電力化を図ることができる。
【図面の簡単な説明】
【０００８】
【図１】（ａ）第１の実施形態に係る、第１のモードのカメラ１０１の断面図、（ｂ）第１の実施形態に係る、第２のモードのカメラ１０１の断面図
【図２】第１の実施形態に係るカメラ１０１において、観察手段としてディスプレイ１１１を用いた撮影動作を示すタイムチャート
【図３】第１の実施形態に係るカメラ１０１において、観察手段として光学ファインダ１０９を用いた撮影動作を示すタイムチャート
【図４】第２の実施形態に係る、カメラ１０１の断面図
【図５】第２の実施形態に係るカメラ１０１において、観察手段として電子ビューファインダ４０９を用いた撮影動作を示すタイムチャート
【発明を実施するための形態】
【０００９】
以下に、本発明の好ましい実施の形態を、添付の図面に基づいて詳細に説明する。
【実施例１】
【００１０】
図１は、本発明の第１の実施形態に関わる撮像装置の一例であるデジタル一眼レフカメラ（以下、カメラ）の断面図を示す。図１（ａ）は第１のモードの状態を示し、図１（ｂ）は第２のモードの状態を示す。第１のモード、第２のモードについては後述する。
【００１１】
図１においてカメラ１０１の前面には、撮影レンズ１０２が装着される。撮影レンズ１０２は交換可能であり、不図示のマウント接点群を介して電気的に接続される。撮影レンズ１０２には絞り１０２ａ、フォーカシングレンズ１０２ｂがあり、前記マウント接点群を介して不図示の撮影光学系駆動部により駆動され、カメラ内に取り込む光量と、ピントを調整できるようになっている。１０６はミラーユニットであり半透過ミラーであるメインミラー１０６ａと、全反射ミラーであるサブミラー１０６ｂにて構成される。
【００１２】
ミラーユニット１０６の駆動は、不図示のステッピングモータ等で構成されるミラー駆動部で行なわれ、撮影レンズ１０２からの撮影光束の光路を切り替える。ミラーユニット１０６が撮影光路上に斜設され、撮影光束をファインダ光学系に導く状態を第１のモード（ミラーダウン状態）とする。第１のモードの状態を図１（ａ）に示す。ミラーユニット１０６が撮影光束上から退避し、撮像センサ１０３に光を導く状態を第２のモード（ミラーアップ状態）とする。第２のモードの状態を図１（ｂ）に示す。
【００１３】
ミラーユニット１０６が第１のモードの時、メインミラー１０６ａは撮影レンズ１０２を通して入射した光束のうち一部を反射させるとともに、残りを透過させることで、一つの光路を二つの光路に分割する。
【００１４】
メインミラー１０６ａにて反射した光束はファインダ部に入射し、フォーカシングスクリーン１１０上に結像する。ペンタプリズム１０８は、ファインダ部に入射した光束を光路変換し、光学ファインダ１０９、測光センサ１０４に光束を導く。撮影者はフォーカシングスクリーン１１０上に結像した像を光学ファインダ１０９から観察することができる。光学ファインダ１０９近傍には、不図示の光学ファインダ検知部があり、撮影者が光学ファインダ１０９を覗いた際に、光学ファインダ検知がＯＮとなる。
【００１５】
メインミラー１０６ａにて透過した光束はサブミラー１０６ｂにて反射され、下方に設けられた測距センサ１０５へと入射する。
【００１６】
測光センサ１０４は光電変換素子である測光センサにより構成され、照射される光信号から輝度信号を出力する。測光センサ１０４から出力される輝度信号は、露出演算を行なう処理に用いられる。測光センサ１０４による測光を第１の測光とする。
【００１７】
測距センサ１０５は光電変換センサである測距センサにより構成され、複数の測距点を有する。サブミラー１０６ｂにて反射された光束から被写体像までの距離を位相差検出方式で検出する。測距センサ１０５による測距を第１の測距とする。
【００１８】
撮像センサ１０３は光電変換センサにより構成され、被写体を撮像して画像データを生成する。撮像センサ１０３により得られる像信号により、測光、測距が可能であり、撮像センサ１０３による測光を第２の測光、撮像センサ１０３による測距を第２の測距とする。第２の測距は、コントラスト検出方式、又は像面位相差検出方式を行なう。像面位相差検出方式では、一つの画素に２つのフォトダイオードが構成されており、公知の技術である撮像面位相差検出方式の測距に用いる像信号を生成可能である。上述の構成に限定されず、一部の画素を焦点検出用に転用していても良い。
【００１９】
シャッター１０７は先幕及び後幕を有するフォーカルプレーンシャッターで構成されており、撮影レンズ１０２からの撮影光束を遮断している。撮影時には、ミラーユニット１０６が第２のモードとなり、シャッター１０７の先幕を走行させて、撮像センサ１０３に露光を開始し、シャッター秒時後に後幕を走行させる。
【００２０】
ディスプレイ１１１はＴＦＴ等で構成される表示手段であり、撮像センサ１０３により撮像された撮影画像や撮影情報を表示し、撮影者が確認できるようになっている。
【００２１】
ストロボ１１２は、カメラ１０１の天面に配置されたストロボ接続部１１２ａを介して電気的に接続されている。ストロボ１１２の先端には、発光ダイオードで構成される発光光源１１２ｂが配置されている。なお、ストロボ１１２が請求項記載の発光手段に相当する。
【００２２】
また、カメラ１０１には不図示の操作部材として、レリーズボタンと観察手段切換えボタンが取り付けられている。
【００２３】
レリーズボタンには、ＳＷ１とＳＷ２があり、撮影者によりレリーズボタンが半押しされた状態をＳＷ１ＯＮ状態とし、レリーズボタンが全押しされた状態をＳＷ２ＯＮ状態とする。
【００２４】
観察手段切換えボタンは、被写体の観察手段として、光学ファインダ１０９又はディスプレイ１１１のいずれかに切り替えることができる。観察手段として、光学ファインダ１０９を使用する場合はミラーユニット１０６を第１のモードにし、ディスプレイ１１１を使用する場合はミラーユニット１０６を第２のモードにする。なお、観察手段切換えボタンが請求項記載の第１の観察手段切換え部に相当する。
【００２５】
カメラ内部には、マイクロコンピュータからなる不図示のシステム制御部が搭載されている。これはカメラの動作制御及び記憶を司るものであり、各要素からの情報の処理や各要素に対する指示及び各情報の記憶を行なう。システム制御部には、撮影光学系駆動部、撮像センサ１０３、測光センサ１０４、測距センサ１０５、ミラー駆動部、光学ファインダ検知部、シャッター１０７、ディスプレイ１１１、発光光源１１２ｂ、操作部材が電気的に接続されている。
【００２６】
続いて、本実施形態のストロボ発光量について、図２、図３のタイムチャートを用いて説明する。
【００２７】
図２は観察手段切換えボタンにより、ディスプレイ１１１を観察手段として選択された場合（ミラーユニット１０６は第２のモード）のタイムチャートであり、撮像装置の動作とストロボ発光量の関係について説明する。タイムチャートの横軸には時間を、縦軸にはＳＷ１、ＳＷ２のＯＮ／ＯＦＦ状態、撮影状態、第２の測光処理、第２の測距処理、ストロボ１１２の発光の動作タイミングを示す。撮影状態では撮影時における撮像センサ１０３の電荷蓄積、蓄積データの読み出しを示し、第２の測光処理では撮像センサ１０３による測光処理（電荷蓄積、演算）を示し、第２の測距処理では撮像センサ１０３による測距処理（電荷蓄積、演算）を示す。ストロボ１１２の発光量はＯＮ側に近いほど、光量を大きくする。
【００２８】
Ｔ２０１でＳＷ１がＯＮ状態になると、第２の測光処理を開始し撮像センサ１０３に電荷蓄積し（ＡＥ２０１）、第２の測光演算を行なう（ＡＥ２０２）。第２の測光演算（ＡＥ２０２）終了後、第２の測距処理を開始し撮像センサ１０３に電荷蓄積を行なう（ＡＦ２０１）。この時、第２の測光演算（ＡＥ２０２）結果より、システム制御部によって被写体の輝度が所定値よりも低いと判断された場合、被写体輝度により第２の測距時に適切な光量となる第１の光量でストロボ１１２を発光する。前記動作とすることで、暗い環境下でも測距精度を高めることができる（ＳＴ２０１）。
【００２９】
撮像センサ１０３への電荷蓄積（ＡＦ２０１）が終了した後は、第２の測距演算（ＡＦ２０２）を行ない、第２の測距演算（ＡＦ２０２）結果に基づいて、フォーカシングレンズ１０２ｂを駆動し、合焦させる。なお、フォーカシングレンズ１０２ｂの駆動は、タイムチャートには不図示である。また、撮影者が被写体を視認するために適切な第２の光量を、被写体の輝度により算出し、ストロボ１１２を発光する。前記動作とすることで、暗い環境下でも被写体視認性を高めることができる（ＳＴ２０２）。
【００３０】
その後、ＳＷ２がＯＮ状態になると（Ｔ２０２）、撮像センサ１０３に露光を開始し電荷蓄積を行なう（ＥＸ２０１）。撮影露光（ＥＸ２０１）時には、例えば絞り値やシャッタースピード等の撮影条件によって撮影時に適正な露出となる第３の光量で、ストロボ１１２を発光する（ＳＴ２０３）。撮影露光（ＥＸ２０１）処理後、撮影露光データの読み出し（Ｒ２０１）を行なう。撮影露光データの読み出し時（Ｒ２０１）は、ＳＴ２０２と同様に、第２の光量でストロボ１１２を発光させる（ＳＴ２０４）。前記動作とすることで、暗い環境下でも被写体の視認性を高め、撮影者が被写体を追尾しやすくすることができる。
この時、撮影者によりＳＷ２がＯＮ状態を維持されていると、Ｔ２０３から２コマ目が開始する。撮影露光データの読み出し（Ｒ２０１）後、読み出した露光データを用いて第２の測光演算（ＡＥ２０３）を行ない、同時にストロボ１１２をＳＴ２０１と同様に第１の光量で発光（ＳＴ２０５）し、第２の測距処理を開始し撮像センサ１０３に電荷蓄積（ＡＦ２０３）を行なう。撮像センサ１０３への電荷蓄積（ＡＦ２０３）が終了した後は、第２の測距演算（ＡＦ２０４）を行ない、第２の測距演算（ＡＦ２０４）結果に基づいて、フォーカシングレンズ１０２ｂを駆動し、合焦させる。また、撮影者が被写体を視認するために適切な第２の光量を、第２の測光演算（ＡＥ２０３）により得られる被写体の輝度により算出し、ストロボ１１２を発光させる（ＳＴ２０６）。
【００３１】
以降は１コマ目と同様の動作を行なう。ＳＷ２がＯＮ状態が解除されると、撮影を終了する。
【００３２】
図３は観察手段切換えボタンにより、光学ファインダ１０９を観察手段として選択された場合のタイムチャートであり、撮像装置の動作とストロボ発光量の関係について説明する。タイムチャートの横軸には時間を、縦軸にはＳＷ１、ＳＷ２のＯＮ／ＯＦＦ状態、ファインダ検知のＯＮ／ＯＦＦ状態、撮影状態、第１の測光処理、第１の測距処理、ミラー駆動の状態、ストロボ１１２の発光の動作タイミングを示す。撮影状態では撮影時における撮像センサ１０３の電荷蓄積、蓄積データの読み出しを示し、第１の測光処理では測光センサ１０４による測光処理（電荷蓄積、演算）を示し、第１の測距処理では測距センサ１０５による測距処理（電荷蓄積、演算）を示す。ストロボ１１２の発光量はＯＮ側に近いほど、光量を大きくする。
【００３３】
まず、Ｔ３０１で光学ファインダ検知がＯＮ状態になると、第１の測光処理を開始し測光センサ１０４に電荷蓄積し（ＡＥ３０１）、測光センサ１０４での電荷蓄積（ＡＥ３０１）結果を基に第１の測光演算（ＡＥ３０２）が行なわれる。このとき、ミラーユニット１０６は第１のモードである。第１の測光演算（ＡＥ３０２）結果より、システム制御部によって被写体の輝度が所定値よりも低いと判断された場合、暗い環境下でも撮影者が被写体を視認しやすくするためにストロボ１１２の発光を行なう（ＳＴ３０１）。ＳＴ３０１は、被写体の輝度と、光学ファインダ１０９を使用する際の減光量により算出される、第４の光量で発光する。光学ファインダ１０９から被写体を観察する場合、撮影レンズ１０２に入射する光束は撮影レンズ１０２、メインミラー１０６ａの光透過率、フォーカシングスクリーン１１０での拡散により減光される。そのため、光学ファインダ１０９から観察できる像は、実際よりも暗くなってしまうため、第４の光量は光学ファインダ１０９を使用する際の減光量を加味する必要がある。このことより、第４の光量は第２の光量よりも大きくなる。これにより、暗い環境下で光学ファインダ１０９を使用する際にも、適切に被写体の視認性を確保することが可能になる。装着されている撮影レンズ１０２の光透過率は、マウント接点群を介し、取得することが可能である。次に、Ｔ３０２でＳＷ１がＯＮ状態になると、再度第１の測光処理を開始し、測光センサ１０４に電荷蓄積し（ＡＥ３０３）、第１の測光演算（ＡＥ３０４）を行なう。測光センサ１０４への電荷蓄積時（ＡＥ３０３）は、ストロボ１１２が発光していると適切な測光ができないため、ストロボ１１２を消灯する。
【００３４】
また、測光センサ１０４への電荷蓄積（ＡＥ３０３）終了後、第１の測距処理を開始し測距センサ１０５に電荷蓄積を行なう（ＡＦ３０１）。この時、第１の測光演算（ＡＥ３０２）結果より、システム制御部によって被写体の輝度が所定値よりも低いと判断された場合、被写体輝度により第１の測距時に適切な光量となる第１の光量でストロボ１１２を発光する。前記動作とすることで、暗い環境下でも測距精度を高めることができる（ＳＴ３０２）。測距センサ１０５への蓄積（ＡＦ３０１）が終了した後は、第１の測距演算（ＡＦ３０２）を行ない、第１の測距演算（ＡＦ３０２）結果に基づいて、フォーカシングレンズ１０２ｂを駆動し、合焦させる。なお、フォーカシングレンズ１０２ｂの駆動は、タイムチャートには不図示である。また、撮影者が被写体を視認するために適切な第４の光量を、第１の測光演算（ＡＥ３０４）により得られる被写体の輝度により算出し、ストロボ１１２を発光させる（ＳＴ３０３）。
【００３５】
その後、ＳＷ２がＯＮ状態になると（Ｔ３０３）、撮影を開始するためにミラーユニット１０６をアップ駆動（Ｍ３０１）し、第２のモードになる。ミラーユニット１０６のアップ駆動中では、光学ファインダ１０９から像は見えなくなるため、ストロボ１１２を消灯する。前記動作とすることで、電力消費を抑える。ミラーユニット１０６が第２のモードになると、撮像センサ１０３に露光（ＥＸ３０１）を開始する。撮影露光（ＥＸ３０１）時には、例えば絞り値やシャッタースピード等の撮影条件によって撮影時に適正な露出となる第３の光量でストロボ１１２を発光する（ＳＴ３０４）。撮影露光（ＥＸ３０１）処理後、撮影露光データの読み出し（Ｒ３０１）を行なう。
【００３６】
この時、撮影者によりＳＷ２がＯＮ状態を維持されていると、Ｔ３０４から２コマ目が開始し、露光データ読み出し（Ｒ３０１）の処理中に、第１の測光処理（ＡＥ３０５、ＡＥ３０６）、第１の測距処理（ＡＦ３０３、ＡＦ３０４）を行なう。
【００３７】
撮影露光（ＥＸ３０１）処理後、ミラーユニット１０６をダウン駆動（Ｍ３０２）して第１のモードになる。このとき、ミラーユニット１０６のダウン駆動中では、光学ファインダ１０９から像は見えなくなるため、ストロボ１１２を消灯する。前記動作とすることで、電力消費を抑える。ミラーユニット１０６が第１のモードになると、Ｔ３０２からＴ３０３と同様に第１の測光処理（ＡＥ３０５、ＡＥ３０６）、第１の測距処理（ＡＦ３０３、ＡＦ３０４）、ストロボ発光（ＳＴ３０５、ＳＴ３０６）を行なう。
【００３８】
撮影露光データの読み出し（Ｒ３０１）と第１の測距演算処理（ＡＦ３０４）が終了した後はミラーユニット１０６をアップ駆動（Ｍ３０３）し、以降は１コマ目と同様の動作を行なう。ＳＷ２がＯＮ状態が解除されると、撮影を終了する。
【００３９】
また、光学ファインダ検知がＯＮ状態からＯＦＦ状態になった際、光学ファインダ１０９内から被写体を見失う等により、撮影者は光学ファインダ１０９を介さずに被写体を視認しようとする。そのため、ストロボ１１２の発光量を第４の光量から第２の光量に変更し、光量を下げる。前記動作とすることで、暗い環境下でも十分な視認性を確保しつつ、電力消費を抑えることができる。
【実施例２】
【００４０】
図４は、本発明の第２の実施形態に関わるカメラの断面図を示す。
【００４１】
図４においてカメラ１０１の前面には、撮影レンズ１０２が装着される。撮影レンズ１０２は交換可能であり、不図示のマウント接点群を介して電気的に接続される。撮影レンズ１０２には絞り１０２ａ、フォーカシングレンズ１０２ｂがあり、前記マウント接点群を介して不図示の撮影光学系駆動部により駆動され、カメラ内に取り込む光量と、ピントを調整できるようになっている。
【００４２】
撮像センサ１０３は光電変換センサにより構成され、被写体を撮像して画像データを生成する。撮像センサ１０３により得られる像信号により、測光、測距が可能であり、撮像センサ１０３による測光を第２の測光、撮像センサ１０３による測距を第２の測距とする。第２の測距は、コントラスト検出方式、又は像面位相差検出方式を行なう。像面位相差検出方式では、一つの画素に２つのフォトダイオードが構成されており、公知の技術である撮像面位相差検出方式の測距に用いる像信号を生成可能である。上述の構成に限定されず、一部の画素を焦点検出用に転用していても良い。
【００４３】
シャッター１０７は先幕及び後幕を有するフォーカルプレーンシャッターで構成されており、撮影レンズ１０２からの撮影光束を遮断している。撮影時には、シャッター１０７の先幕を走行させて、撮像センサ１０３に露光を開始し、シャッター秒時後に後幕を走行させる。
【００４４】
ディスプレイ１１１はＴＦＴ等で構成される表示手段であり、撮像センサ１０３により撮像された撮影画像や撮影情報を表示し、撮影者が確認できるようになっている。
【００４５】
電子ビューファインダ４０９は撮像センサ１０３により撮像された撮影画像や撮影情報を表示し、撮影者が確認できるようになっている。また、電子ビューファインダ４０９近傍には、不図示の電子ビューファインダ検知部があり、撮影者が電子ビューファインダ４０９を覗いた際に、電子ビューファインダ検知がＯＮとなる。
【００４６】
ストロボ１１２は、カメラ１０１の天面に配置されたストロボ接続部１１２ａを介して電気的に接続されている。ストロボ１１２の先端には、発光ダイオードで構成される発光光源１１２ｂが配置されている。
【００４７】
また、カメラ１０１には不図示の操作部材として、レリーズボタンと観察手段切換えボタンが取り付けられている。
【００４８】
レリーズボタンには、ＳＷ１とＳＷ２があり、撮影者によりレリーズボタンが半押しされた状態をＳＷ１ＯＮ状態とし、レリーズボタンが全押しされた状態をＳＷ２ＯＮ状態と呼ぶことにする。
【００４９】
観察手段切換えボタンは、被写体の観察手段として、電子ビューファインダ４０９又はディスプレイ１１１のいずれかに切り替えることができる。なお、観察手段切換えボタンが請求項記載の第２の観察手段切換え部に相当する。
【００５０】
カメラ内部には、マイクロコンピュータからなる不図示のシステム制御部が搭載されている。これはカメラの動作制御及び記憶を司るものであり、各要素からの情報の処理や各要素に対する指示及び各情報の記憶を行なう。システム制御部には、撮影光学系駆動部、撮像センサ１０３、光学ファインダ検知部、シャッター１０７、ディスプレイ１１１、電子ビューファインダ４０９、電子ビューファインダ検知部、発光光源１１２ｂ、操作部材が電気的に接続されている。
【００５１】
続いて、本実施形態のストロボ発光量について、図２、図５のタイムチャートを用いて説明する。図５は観察手段切換えボタンにより、電子ビューファインダ４０９を観察手段として選択された場合のタイムチャートであり、撮像装置の動作とストロボ発光量の関係について説明する。観察手段切換えボタンにより、ディスプレイ１１１を選択された場合は、第１の実施例の図２と同様のため、省略する。
【００５２】
図５において、タイムチャートの横軸には時間を、縦軸にはＳＷ１、ＳＷ２のＯＮ／ＯＦＦ状態、ファインダ検知のＯＮ／ＯＦＦ状態、撮影状態、第２の測光処理、第２の測距処理、ストロボ１１２発光の動作タイミングを示す。撮影状態では撮影時における撮像センサ１０３の電荷蓄積、蓄積データの読み出しを示し、第２の測光処理では撮像センサ１０３による測光処理（電荷蓄積、演算）を示し、第２の測距では撮像センサ１０３による測距（電荷蓄積、演算）を示す。ストロボ１１２の発光量はＯＮ側に近いほど、光量を大きくする。
【００５３】
まず、Ｔ５０１で電子ビューファインダ検知がＯＮ状態になると、第２の測光処理を開始し撮像センサ１０３に電荷蓄積し（ＡＥ５０１）、第２の測光演算（ＡＥ５０２）が行なわれる。第２の測光演算（ＡＥ５０２）結果より、システム制御部によって被写体の輝度が所定値よりも低いと判断された場合、暗い環境下でも撮影者が被写体を視認しやすくするためにストロボ１１２の発光を行なう（ＳＴ５０１）。ＳＴ５０１は、第２の測光演算（ＡＥ５０２）により得られる被写体の輝度と、電子ビューファインダ４０９の液晶での撮影感度の調整量や液晶の輝度より算出される、第５の光量で発光する。電子ビューファインダ４０９では撮像センサ１０３から取得した撮影画像のゲインを調整することで、撮影感度の調整をすることが可能である。そのため、電子ビューファインダ４０９の液晶での撮影感度の調整量や液晶の輝度を上げることで、被写体を明るく観察することが可能になるため、第５の光量は第２の光量よりも小さくすることができる。前記動作とすることで、電子ビューファインダ４０９使用時における、ストロボ発光の電力を抑えることが可能となる。
【００５４】
次に、Ｔ５０２でＳＷ１がＯＮ状態になると、再度撮像センサ１０３に電荷蓄積し（ＡＥ５０３）、第２の測光演算（ＡＥ５０４）が行なわれる。撮像センサ１０３への電荷蓄積時（ＡＥ５０３）は、ストロボ１１２が発光していると適切な測光が行なえないため、ストロボ１１２を消灯する。
【００５５】
また、撮像センサ１０３への電荷蓄積（ＡＥ５０３）終了後、第２の測距処理を開始し撮像センサ１０３への電荷蓄積を行なう（ＡＦ５０１）。この時、第２の測光演算（ＡＥ２０２）結果より、システム制御部によって被写体の輝度が所定値よりも低いと判断された場合、被写体輝度により第２の測距時に適切な光量となる第１の光量でストロボ１１２を発光する。前記動作とすることで、暗い環境下でも測距精度を高めることができる（ＳＴ５０２）。撮像センサ１０３への電荷蓄積（ＡＦ５０１）が終了した後は、第２の測距演算（ＡＦ５０２）を行ない、第２の測距演算（ＡＦ５０２）結果に基づいて、フォーカシングレンズ１０２ｂを駆動し、合焦させる。なお、フォーカシングレンズ１０２ｂの駆動は、タイムチャートには不図示である。また、撮影者が被写体を視認するために適切な第５の光量を、第２の測光演算（ＡＥ５０４）により得られる被写体の輝度により算出し、ストロボ１１２を発光させる（ＳＴ５０３）。
【００５６】
その後、ＳＷ２がＯＮ状態になると（Ｔ５０３）、撮像センサ１０３に露光（ＥＸ５０１）を開始する。撮影露光（ＥＸ５０１）時には、例えば絞り値やシャッタースピード等の撮影条件によって撮影時に適正な露出となる第３の光量でストロボ１１２を発光する（ＳＴ５０４）。撮影露光（ＥＸ５０１）処理後、撮影露光データの読み出し（Ｒ５０１）を行なう。撮影露光データの読み出し時（Ｒ５０１）は、暗い環境下でも被写体の視認性を高め、撮影者が被写体を追尾しやすくするためにＳＴ５０３と同様に、ストロボ１１２を発光させる（ＳＴ５０５）。
【００５７】
この時、撮影者によりＳＷ２がＯＮ状態を維持されていると、Ｔ５０４から２コマ目が開始する。撮影露光データの読み出し（Ｒ５０１）後、読み出した露光データを用いて測光演算（ＡＥ５０５）を行ない、同時にストロボ１１２を第１の光量で発光（ＳＴ５０６）し、第２の測距処理を開始し撮像センサ１０３への電荷蓄積を行なう（ＡＦ５０３）。撮像センサ１０３への電荷蓄積（ＡＦ５０３）が終了した後は、第２の測距演算（ＡＦ５０４）を行ない、第２の測距演算（ＡＦ５０４）結果に基づいて、フォーカシングレンズ１０２ｂを駆動し、合焦させる。また、撮影者が被写体を視認するために適切な第５の光量を、第２の測光演算（ＡＥ５０５）により得られる被写体の輝度により算出し、ストロボ１１２を発光させる（ＳＴ５０７）。
【００５８】
以降は１コマ目と同様の動作を行なう。ＳＷ２がＯＮ状態が解除されると、撮影を終了する。
【００５９】
また、電子ビューファインダ検知がＯＮ状態からＯＦＦ状態になった際、電子ビューファインダ４０９内から被写体を見失う等により、撮影者は電子ビューファインダ４０９を介さずに被写体を視認しようとする。そのため、ストロボ１１２の発光量を第５の光量から第２の光量に変更する。前記動作とすることで、暗い環境下でも十分な視認性を確保することができる。
【００６０】
実施例１、実施例２で説明したように、観察手段とストロボ１１２の発光量の関係についてまとめる。観察手段としてディスプレイ１１１を選択された場合には第２の光量を、光学ファインダ１０９を選択された場合には第４の光量を、電子ビューファインダ４０９を選択された場合には第５の光量で、被写体観察時にストロボ１１２を発光させる。それぞれの光量の関係としては、第４の光量は第２の光量よりも大きく、第５の光量は第２の光量よりも小さい。
【００６１】
以上、本発明の好ましい実施形態について説明したが、本発明はこれらの実施形態に限定されず、その要旨の範囲内で種々の変形及び変更が可能である。
【００６２】
例えば、光学ファインダ１０９を使用して撮影する際、撮影中は右目で光学ファインダ１０９を介して被写体を観察して撮影し、ミラーユニット１０６が駆動中では左目で光学ファインダ１０９を介さず被写体を観察する場合がある。そのため、ミラーユニット１０６が駆動中でも、ストロボ１１２を第２の光量で発光させても良い。前記動作とすることで、暗い環境下でも被写体の視認性を確保することができる。
【００６３】
ストロボ１１２はカメラ本体１０１に内蔵されたものでも良い。
【００６４】
第２の実施例において、観察手段である電子ビューファインダ４０９とディスプレイ１１１の表示の切換え手段として、電子ビューファインダ検知を使用しても良い。
【００６５】
光学ファインダ検知と電子ビューファインダ検知がＯＦＦの時は、ストロボを消灯させても良い。前記動作とすることで、ストロボ発光の電力消費を抑えることができる。
【符号の説明】
【００６６】
１０１  カメラ、１０２  撮影レンズ、１０２ａ  絞り、
１０２ｂ  フォーカシングレンズ、１０３  撮像センサ、１０４  測光センサ、
１０５  測距センサ、１０６  ミラーユニット、１０６ａ  メインミラー、
１０６ｂ  サブミラー、１０７  シャッター、１０８  ペンタプリズム、
１０９  光学ファインダ、１１２  ストロボ、１１２ａ  ストロボ接続部、
１１２ｂ  発光光源
【図１】
2020036250.tif 000003
【図２】
2020036250.tif 000004
【図３】
2020036250.tif 000005
【図４】
2020036250.tif 000006
【図５】
2020036250.tif 000007